(57)【要約】      （修正有）【課題】外壁の二重構造をとらず、衛生的に、寒冷地における戸建住宅の暖房効率を向上させて化石燃料の節減を図る戸建住宅の補助暖房システムを提供する。【解決手段】戸建住宅１０の外壁１１の外側に透明板材を用いた陽光集熱室２０を設けるとともに、戸建住宅１０にヒートポンプ装置を設ける。陽光集熱室２０は、外壁１１のうち少なくとも一の外壁１１の外側に設け、熱交換機３１を、陽光集熱室２０または住宅基礎空間１４−２に設置する一方、放熱機３２を、住宅基礎空間１４−２に設置する。熱交換機３１から排出される空気流Ａ１を、陽光集熱室２０を経由させた上で熱交換機３１に還流させ、放熱機３２から排出される排熱Ａ２を住宅基礎のコンクリート基礎１４に蓄熱する。【選択図】図３
0003193271.tif 000002
【実用新案登録請求の範囲】
【請求項１】
戸建住宅の外壁の外側に透明板材を用いた陽光集熱室を設けるとともに、
当該戸建住宅にヒートポンプ装置を設けるものであって、
前記陽光集熱室は、
前記外壁のうち、太陽光を受ける方向にある外壁の外側に設け、
前記ヒートポンプ装置は、
熱交換機を、前記陽光集熱室または住宅基礎空間に設置する一方、
放熱機を、住宅基礎空間に設置してなり、
前記熱交換機から排出される空気流を、前記陽光集熱室を経由させた上で当該熱交換機に還流させるとともに、
前記放熱機から排出された放熱を住宅基礎のコンクリートに蓄熱するものであり、
陽光集熱室を介して循環させる前記空気流は、ダクトを介して前記熱交換機の吸気部近傍へ送り込むことを特徴とする戸建住宅の補助暖房システム。
【請求項２】
陽光集熱室は、アルミニウム製の縦材と横材を用いたフレーム手段に、無色透明のガラス板材を装着して構成することを特徴とする請求項１記載の戸建住宅の補助暖房システム。
【請求項３】
ヒートポンプ装置の放熱機は、コンクリート成形した住宅基礎空間に均等間隔をもって複数個配置する一方、
一階床下をスラブコンクリートによって成形し、
前記放熱機を介して住宅基礎空間に放熱された熱を、住宅基礎のコンクリートと一階床下のスラブコンクリートに蓄熱することを特徴とする請求項１または請求項２記載の戸建住宅の補助暖房システム。
【考案の詳細な説明】
【技術分野】
【０００１】
本考案は、戸建住宅、とくに寒冷地の戸建住宅における化石燃料の消費量を抑える技術に関する。
【背景技術】
【０００２】
寒冷地における戸建住宅では、厳寒期には室内に配した各種の灯油ストーブ等の暖房装置を稼働させることによって室内温度を快適に保つ。また、北海道の道東地域等では厳冬期に限らず、春先や夏期でも暖房装置を必要とする場合がある。
【０００３】
このような寒冷地域の戸建住宅では、灯油ストーブ等の暖房装置を稼働させた場合には室内温度は快適に保たれる一方、燃料代（灯油経費）が嵩むため経済的負担が重くなるという問題がある。
【０００４】
このため、従来から、とくに冬期の暖房効率を高める提案がなされている。例えば、戸建住宅の外壁を二重構造として、温かい室内空気を循環させる等である（特許文献１）。
【０００５】
戸建住宅の外壁を二重構造として、内部空間に温かい室内空気を循環させれば、暖房効率は確実に向上する。また、二重構造の外壁空間を流動させた空気を床下に送り込んで、床下空間（住宅の基礎空間）を常時暖めておけば、暖房効率はさらに向上する（特許文献１）。
【０００６】
同様の外壁構造は、特許文献２にも開示されている。この特許文献２には、外壁を流動させる空気流を、天井裏空間および小屋裏空間にも送り込むことが開示されている。天井裏空間や小屋裏空間を暖めることによって、居室の温度低下を極力防ぎ、暖房効率を高めるためである。
【先行技術文献】
【特許文献】
【０００７】
【特許文献１】特開２０１４−０５１８７４号
【特許文献２】特開２００４−０６０９５９号
【考案の開示】
【考案が解決しようとする課題】
【０００８】
問題は、外壁を二重構造にした上で空気流を循環させるには、建築コストが嵩むだけでなく、工期も延びる点である。戸建住宅の外壁構造が複雑になるだけでなく、例えば、室内空気の流れを確保するための開口設置や、開口設置に伴う防塵設備の設置など派生的な建築課題も生ずるからである。
【０００９】
また、室内の暖房空気を二重の外壁空間に流動させたり、床下、天井裏、小屋裏に送り込むことは技術的には決して難しいことではないが、居室空間と外壁、床下、天井裏、小屋裏等を空間的に連通させるのは、衛生的な視点からも好ましいものではない。
【００１０】
さらに、二重構造の外壁は、新築家屋では設計段階から計画すれば可能であるけれども、既設住宅への速やかな適用は困難であり、リフォームするにしても大規模な工事が必要となる。
【００１１】
また、従来の提案は、ストーブ等の暖房装置を用いることを前提としている。しかしながら、春先〜夏期〜秋期の低温時にも暖房装置を稼働させると、年間を通しての化石燃料代の総額が大きくなるという寒冷地特有の問題がある。
【００１２】
そこで、本考案の目的は、外壁の二重構造をとらず、かつ衛生的に、寒冷地における戸建住宅の暖房効率を向上させて化石燃料の節減を可能とする点にある。
【課題を解決するための手段】
【００１３】
前記目的を達成するため、本考案に係る戸建住宅の補助暖房システムは、戸建住宅の外壁の外側に透明板材を用いた陽光集熱室を設けるとともに、当該戸建住宅にヒートポンプ装置（空気熱ヒートポンプ）を設けるものであって、陽光集熱室は、前記外壁のうち太陽光を受ける方向にある外壁の外側に設け、ヒートポンプ装置は、熱交換機を、陽光集熱室または住宅基礎空間に設置する一方、放熱機を、住宅基礎空間に設置してなり、熱交換機から送出される空気流を、陽光集熱室を経由させた上で熱交換機に還流させるとともに、放熱機から排出された放熱空気を住宅基礎のコンクリートに蓄熱し、陽光集熱室を介して循環させる前記空気流は、ダクトを介して熱交換機の吸気部近傍へ送り込む（請求項１）。
【００１４】
本考案に係る戸建住宅の補助暖房システムは、室内の暖房空気を流動させるのではなく、居室以外の適宜箇所（陽光集熱室または住宅基礎空間）に設置したヒートポンプ装置の排出空気を利用して、外壁の外側に設けた陽光集熱室内の空気を循環流動させる。陽光集熱室内の空気は、太陽に照らされているとき（晴天日照時）は温度上昇する。高い温度の陽光集熱室の空気を流動させ、ヒートポンプ装置の熱交換機に還流／循環することによって、住宅基礎空間に設置した放熱機は速やかに温度上昇するので、熱交換機を稼働させる僅かな電気によって大きな熱エネルギーを獲得し、床下を暖めることが出来る。
【００１５】
このようにすれば、春先〜夏期〜秋期の日中〜夕暮時には居室内の暖房装置を稼働させなくても居室を快適温度に保つことが可能となるし、厳冬期も暖房装置の稼働パワーを低下させても居室を快適温度に保つことが可能となるので、年間を通しての化石燃料の消費量を大幅に削減することが出来る。
【００１６】
また、太陽光によって暖められた蓄熱空気の循環であり、居室とは空間的に切り離した条件での空気流動であるから、居室内空気の衛生に悪影響を与えることもない。さらに、本考案に係る補助暖房システムは、ヒートポンプ装置の放熱機を住宅基礎空間に設置し、放熱空気を住宅基礎空間に蓄熱するので、床下の蓄熱エネルギーも相俟って利用し、化石燃料の消費量削減を効率化させることが出来る。
【００１７】
陽光集熱室は、アルミニウム製の縦材と横材を用いたフレーム手段に、無色透明のガラス板材を装着して構成する場合がある（請求項２）。
【００１８】
陽光集熱室を無色透明ガラス板材を用いて構成することにより、当該陽光集熱室は、太陽熱を蓄積でき、日中から日没後しばらくの間は比較的高い温度を維持する。この場合、アルミニウム製の縦材／横材を用いたフレームに、無色透明のガラス板材を装着して陽光集熱室を作れば、増加分の建築コストを比較的安価に抑えることが出来る。また太陽光の蓄熱効果は最大となる。
【００１９】
無色透明のガラス板材を用いるので、太陽光が直接差し込む外壁には金属製の外壁材を用いることが望ましい。熱伝導率の良い外壁材（例えばアルミニウム化粧材等）によって太陽光の熱エネルギーを利用して、陽光集熱室内の空気温度を効率的に高めることが出来る。
【００２０】
ヒートポンプ装置の放熱機は、コンクリート成形した住宅基礎空間に均等間隔をもって複数個配置する一方、一階床下をスラブコンクリートによって成形し、前記放熱機を介して住宅基礎空間に放熱された熱を、住宅基礎のコンクリートと一階床下のスラブコンクリートに蓄熱する場合がある（請求項３）。
【００２１】
ひとつのヒートポンプ装置に用いる放熱機の個数は最小限一個でも良い。しかしながら、住宅基礎空間（住宅の床下）を均等に暖める場合は、複数の放熱機を均等間隔で配した方が、温度のばらつきが少なくなり住宅内空間の暖房を快適に保つ上では有利となる。
【００２２】
放熱機から放出される熱エネルギーを、住宅基礎のコンクリートと一階床下のスラブコンクリートに蓄熱する構成とすれば、例えば、冬が始まる前から蓄熱を開始することによって、晩秋〜初冬〜厳冬期〜晩冬には床下からの暖かい熱エネルギーを得ることが出来る。このため、暖房装置の稼働パワーを従来より低下させても居室温度を快適に保つことが可能となり、化石燃料を確実に節減できるようになる。
【考案の効果】
【００２３】
本考案に係る戸建住宅の補助暖房システムによれば、外壁が二重構造ではなくても、寒冷地における戸建住宅の暖房効率を衛生的に向上させ、化石燃料の節減を可能とすることが出来るようになる。
【図面の簡単な説明】
【００２４】
【図１】実施形態に係る戸建住宅の補助暖房システムの一例を示す図である。
【図２】図１に示した陽光集熱室を異なる角度から例示した図である。
【図３】図１に示した補助暖房システムの熱の流れを例示した図である。
【図４】他の実施形態に係る補助暖房システムを例示する図である。
【図５】実施形態に係る仕切板の具体例を示す図である。
【図６】実施形態に係る仕切板の他の例を示す図である。
【図７】図６のＴ−Ｔ線の断面相当図である。
【考案を実施するための形態】
【００２５】
図１は、本考案に係る戸建住宅の補助暖房システムの一実施形態を例示するものである。
【００２６】
この補助暖房装置は、戸建住宅１０の外壁１１の外側に透明板材を用いた陽光集熱室２０を設けるとともに、この戸建住宅１０に、熱交換機３１と放熱機３２とを備えるヒートポンプ装置を設ける。１４は、戸建住宅１０のコンクリート基礎、１４−２は、基礎空間（基礎の内側の空間；床下空間）である。２７は仕切板、３８はダクトである。また、符号Ｑは、熱交換機３１と放熱機３２とを連絡する熱媒の循環経路（管材）、Ｒは一階床のスラブコンクリートである。ダクト３８は、十分な空気の流動性を確保するため、断面積が大きな専用のダクトを設けることが望ましい。
【００２７】
陽光集熱室２０は、例えば平面矩形を呈する外壁１１のうち、太陽光を受ける向きの外壁１１の外側に設ける。すべての外壁１１面に設ける必要はない。この実施形態では、ふたつの外壁１１に陽光集熱室２０（２０−１、２０−２）を設ける場合を示してある。
【００２８】
陽光集熱室２０は、できるだけ太陽光によって空気を暖める構造とすることが望ましいので、例えば、無色透明のガラス板材を用いて構築する。ガラス板材は、適宜素材の縦材（図示せず）と横材（図示せず）とを組み合わせた枠体に装填する。
【００２９】
枠体に用いる縦材と横材は、例えば、アルミニウム製のガラス装着用の公知の各種枠材を使用することが出来る。構造的に無理がない範囲で無色透明のガラス板材の面積比率は出来るだけ大きくとり、陽光集熱室２０内により多くの陽光を受けて内部空気の温度を高めるようにしておく。構造的には、例えば、寒冷地住宅の玄関の外側に設ける風除室と略同様で構わない。但し、除風室に設けられる開閉扉は必ずしも設ける必要はない。
【００３０】
陽光集熱室２０は、図２に示すように、外壁１１と略平行なガラス面Ｇを備える。ガラス面Ｇと外壁１１表面との離隔寸法は、空気流が自由に流動できる程度の寸法、例えば４０〜５０ｃｍ程度に設定すればよい。符号Ｐで示す部分が空気流が流れるスペースである。また、１４−３は、陽光集熱室２０の縦材を立設するための跳ね出し基礎である。跳ね出し基礎１４−３は、ガラス面Ｇと外壁１１表面との離隔寸法の設定量に応じて突出寸法を適宜設計する。
【００３１】
なお、陽光集熱室２０に窓Ｗが位置する場合は、窓Ｗを出窓構造とし、開閉面Ｗ１を、例えば、ガラス面Ｇと略面一とすることが望ましい。開閉面Ｗ１が外気に開放できるようにするためである。
【００３２】
図１に戻り、仕切板２７は、例えば空気流の下流側に開放部Ｆを備え、窓Ｗの下方を通した空気流Ａ１（図３参照）が、窓Ｗの上方へ流れて熱交換機３１方向へ戻るようにしておくことが望ましい。仕切板２７は、樹脂板、金属板、木製板等、適宜の素材を用いる。仕切板２７には、空気流Ａ１を適宜箇所において上方へ逃がす小孔（図示せず）を設けても良い。なお、仕切板２７は窓Wの下側に限らず、上側位置に配しても構わない。
【００３３】
ヒートポンプ装置の熱交換機３１は、陽光集熱室２０または住宅（１０）の基礎空間１４−２のいずれか一方に設置する。この実施形態では、二つある陽光集熱室２０の一方（２０−１）に熱交換機３１を設置する場合を例示した。この熱交換機３１の駆動電源は、ソーラーパネル（太陽光発電装置；図示せず）を介して供給することが望ましい。北海道の道東エリアのように年間を通して安定した日照時間が得られる地域では、ソーラーパネルによってヒートポンプ装置（３１）を駆動するに十分な電力をまかなうことが出来るからである。ソーラーパネルは、例えば屋根等の適宜箇所に配する。
【００３４】
放熱機３２は、基礎空間１４−２に設置する。好ましくは、コンクリート成形した住宅の基礎空間１４−２に均等間隔をもって複数個配置する。放熱機３２から排出される排熱を、基礎空間１４−２に均等に排出させてコンクリート基礎１４（ベタ基礎）およびスラブコンクリートＲに均等に蓄熱できるようにするためである。
【００３５】
熱交換機３１と放熱機３２は、循環経路Ｑを介して連絡できるので、熱交換機３１は、戸建住宅１０の適宜位置に配することが出来るが、本考案に係る熱交換機３１は、取り込む空気温度がより高いことが望まれる。このため、熱交換機３１は屋外に露出させた状態で配置せず、陽光集熱室２０の内側または基礎空間１４−２のいずれか一方に設置した上で、熱交換機３１へ送り込む空気は、陽光集熱室２０を循環させた上でダクト３８を介して直接吸気部に供給する。なお、ダクト３８の空気取入口は、陽光集熱室２０のできるだけ上方位置に開口させることが望ましい。より暖かい空気を取り込むためである。
【００３６】
図３は、熱交換機３１から排出される空気流Ａ１と、放熱機３２から排出される排熱Ａ２とを示すものである。放熱機３２から排出される排熱Ａ２は、コンクリート基礎１４およびスラブコンクリートＲに蓄熱され、一階の居室を床下から常時暖める。春先〜夏期〜秋期でも暖房が必要となる地域では、陽光集熱室２０に暖かい空気があることと、床下から受ける蓄熱暖房効果によって、居室を快適温度に保つことが出来る。このため、従来のように、冬期以外の季節におけるストーブ稼働の必要がなくなって、化石燃料の消費を大幅に削減できる。
【００３７】
陽光集熱室２０の一方（２０−１）に配した熱交換機３１から排出される空気流Ａ１は、適宜の通気手段Ｄ、例えば、ふたつの陽光集熱室２０を空間的に連絡する開口または通気ダクトを介して他方の陽光集熱室２０（２０−２）に送り込む。このとき、最初に空気流Ａ１を送り込む部位は、仕切板２７の下方の空間とし、窓Ｗの下方領域を下流に通してから、下流側の開放部Ｆから仕切板２７の上方へ流動させ、窓Ｗの下方領域を上流側の方向に流動させる。陽光集熱室２０（２０−２）の空気温度は上の方が高いので、下方から空気流Ａ１を送り込んで、高い温度の空気を熱交換機３１へ還流させるためである。空気流Ａ１は、適宜の通気手段Ｄを介して陽光集熱室２０（２０−１）に還流させ、ダクト３８を介して熱交換機３１の吸気部（背面または側面）の近傍に送り込む。熱交換機３１の吸気部と送気部（前面ファン側）は仕切板等を用いて隔離することが望ましい。ダクト３８を介して吸気部に送り込む暖かい空気が、送気部から送り出される空気と混じり合わないようにするためである。これにより、熱交換機３１の吸気部に、陽光集熱室２０を通過させた暖かい空気を確実に送り込むことが可能となる。
【００３８】
一方、熱交換機３１の熱媒は、パイプ等の適宜の循環経路Ｑを介して放熱機３２に送られる。熱媒の熱エネルギーは、複数の放熱機３２を介して排熱Ａ２として放出され、基礎空間１４−２のコンクリート（コンクリート基礎１４、一階床下のスラブコンクリートＲ）に蓄熱される。すでに述べたとおり、熱交換機３１の吸気は、陽光集熱室２０を通過させた暖かい空気である。このため、放熱機３２の温度は確実に高まる。実験によれば、陽光集熱室２０を通過させた暖かい空気を熱交換機３１の吸気部近傍に送り込み、熱交換機３１の吸気部と送気部とを仕切板等によって隔絶した場合、放熱機３２の温度は４０〜５５℃となった。熱交換機３１を駆動する僅かな電力によって、効果的に床下を暖めることが可能となる。
【００３９】
従って、かかる構成によれば、太陽光を利用して陽光集熱室２０（２０−１、２０−２）の内部空気を暖め、自然エネルギー（陽光）によって暖めた空気を熱交換機３１から排出される空気流Ａ１によって流動させ、熱交換機３１へ循環させることで、放熱機３２の温度を高く維持できる。このように、住宅基礎空間を僅かな電力によって、高い温度に保つことができるので、厳冬期においても居室内空気温度を比較的高く維持でき、居室内のストーブを稼働させる化石燃料の使用量を大幅に低減させることが出来る。秋口や春先のように、外気温が氷点下ではないが肌寒いという季節には、居室内のストーブを稼働させなくても快適温度を得ることが出来る。熱交換機３１をソーラーパネル装置によって駆動すれば、化石燃料を必要とせずに全電源を賄うことが出来る。
【００４０】
コンクリート造りではない戸建住宅１０の場合、寒冷地では暖房装置をオフして外出すると厳冬期には居室内温度が著しく低下し、帰宅後に暖房装置を稼働させても室内空気が快適温度まで上昇するのに時間がかかる問題があったが、外壁１１の外側や床下からの熱を受けて極端な温度低下を防止できるため、厳冬期でも暖房装置をオンすれば速やかに室内温度を上昇させることが出来るようになる。
【００４１】
厳冬期であっても一階居室の温度が低下しにくくなっているので、暖房装置の稼働パワーを低下させても室内温度の快適性を維持できるようになる。このため、化石燃料を用いる暖房装置に要する燃料使用量を減らし、冬期の経済負担を大幅に軽減させることが可能となる。
【００４２】
陽光集熱室２０は、太陽熱を利用して暖かい温度を維持する旨説明したが、太陽光の利用ができない夜間においても、外壁１１は外気に直接晒されないので、厳冬期の夜間の温度低下を防止する効果がある。なお、日照時間帯以外の時間帯（夜間）はヒートポンプ装置を駆動させないことが望ましい。陽光を有効利用できず、基礎空間の蓄熱が出来ないからである。
【００４３】
外壁１１を二重構造とする従来の外壁暖房構造とは異なり、外壁１１の外側に陽光集熱室２０を設ける構成であるから、居室内空気は、空気流Ａ１とは混合しない。従って、空気を流動させることによる衛生的な問題を惹起することもない。
【００４４】
本考案に係る補助暖房システムは、以上説明した構成に限定されない。例えば、前記説明では熱交換機３１を配する陽光集熱室２０（２０−１）と、窓Ｗがある外壁１１の外側に設けた陽光集熱室２０（２０−２）とを切り離して設け、両者の間を空気流Ａ１が循環する旨説明したが、図４に示すように、太陽光を受ける方角の適宜箇所に他の陽光集熱室２０（２０−３）を増設しても良い。増設する陽光集熱室２０（２０−３）は、できるだけ高い場所に設ける。暖かい空気は上へ移動するからである。
【００４５】
温水供給用のヒートポンプ装置を併用する場合も、当該ヒートポンプ装置の熱交換機（図示せず）を陽光集熱室２０（２０−１）に設置し、放熱機（図示せず）を基礎空間１４−２に設置することが出来る。この場合、熱交換機と放熱機は、コンクリート壁等の隔壁を介して隔離することが望ましい。熱交換機と放熱機との熱エネルギーの混合を防止するためである。
【００４６】
熱交換機３１を配する陽光集熱室２０（２０−１）は、太陽光の利用と外気温を効率的に利用するため、好ましくは、南西の方角に向けて設置すると良い。陽光を受けても、午前中のように外気温が低いと陽光集熱室２０（２０−１）の内部温度が上昇しにくいので、外気温が上昇する午後の時間帯に陽光を受ける南西方向に向かって陽光集熱室２０（２０−１）を設けることで、陽光集熱室２０（２０−１）の内部空気を暖める効果を高めることが出来るからである。
【００４７】
図５に示すように、本考案に係るヒートポンプ装置の熱交換機３１を地上階に配設する場合は、仕切板５０、５１を設けることが望ましい。仕切板５０は、熱交換機３１の送気の温度低下を防ぐためのもので、熱交換機３１の送気を周囲の空気と混じらないように陽光集熱室２０（２０−２）へ案内する機能を営む。この仕切板５０は、例えば、熱交換機３１の上面と略同じ高さで床面と平行に配設する。仕切板５０に代えて、十分な空気流量を保証できるダクトを用いてもよい。
【００４８】
仕切板５１は、ダクト３８を介して熱交換機３１の吸気部に戻す循環空気を、熱交換機３１の送気と混合させないようにするためのもので、吸気口が設置される熱交換機３１の背面・側面と、送気口である前面とを仕切って隔絶する。このようにすれば、熱交換機３１の送気は周囲の空気と混じって温度を下げることがないまま循環を繰り返すので、熱エネルギーのロスがない。
【００４９】
本考案に係るヒートポンプ装置の熱交換機３１を床下に配設する場合は、図６、図７に示すように、基礎空間１４−２のダクト３８側に熱交換機３１を置き、一階床のスラブコンクリートＲに前記仕切板（５０）の機能をもたせる。この場合も、ダクト３８を介して熱交換機３１の吸気部に戻す循環空気を、熱交換機３１の送気と混合させないようにする仕切板５１を配する。図６において、符号５４は布基礎である。図６に示すように、熱交換機３１と放熱機３２とは、布基礎５４と仕切板５１とを用いて隔絶し、熱の混合を避ける。
【００５０】
熱交換機３１を床下（基礎空間１４−２）に配設する場合は、例えば、一階床のスラブコンクリートＲの逆サイドの端部開口から、跳ね出し基礎１４−３の上にある陽光集熱室２０（２０−２）に送気（Ａ１）を送り込む（図７参照）。
【００５１】
また、陽光集熱室２０（２０−２）を通る空気流Ａ１は、より好ましくは、内屋根５５の上に設けた陽光集熱室２０（２０−４）を通過させ、ダクト３８を介して熱交換機３１の吸気部に戻す。陽光集熱室２０（２０−４）は、例えば、内屋根５５の上に適宜の傾斜角度をもたせたガラス板Ｇを配して構築する。傾斜角度を大きくすれば、内部容積を拡大することが出来、太陽光によって暖める空気の量を増大させることが出来る。
【符号の説明】
【００５２】
１０  戸建住宅
１１  外壁
１４  コンクリート基礎
１４−２  基礎空間（基礎の内側の空間；床下空間）
１４−３  跳ね出し基礎
２０、２０−１、２０−２、２０−３、２０−４  陽光集熱室
２７、５０、５１  仕切板
３１  熱交換機
３２  放熱機
３８  ダクト
５４  布基礎
５５  内屋根
Ａ１  空気流
Ａ２  排熱
Ｄ  通気手段
Ｆ  （仕切板の）開放部
Ｇ  ガラス面
Ｐ  空気流が流れるスペース
Ｑ  熱媒の循環経路
Ｒ  スラブコンクリート
Ｗ  窓
Ｗ１  （窓の）開閉面
【図１】
0003193271.tif 000003
【図２】
0003193271.tif 000004
【図３】
0003193271.tif 000005
【図４】
0003193271.tif 000006
【図５】
0003193271.tif 000007
【図６】
0003193271.tif 000008
【図７】
0003193271.tif 000009